(57)【要約】【目的】携帯電話やデジタルカメラ等に備えられた小さな液晶画面を撮影する操作性、携帯性に優れたカメラを提供する。【構成】液晶画面撮影カメラ１０のカメラ筐体１６には液晶画面１４を透過した光を入射させる開口部１６Ａが形成されている。この開口部１６Ａから筐体内へ向かって断面積を減少させ、余計な外光を遮断するレンズフード１６Ｃが形成されている。レンズフード１６Ｃを開口部１６Ａから筐体内へ向かって延出させたことで、カメラ筐体１６を箱型に構成でき、操作性、携帯性が高くなっている。【選択図】  図３
2004294707.tif 000002
【特許請求の範囲】
【請求項１】
感光材料を収納する筐体と、
前記筐体に形成され、表示画面に密着して前記表示画面を透過した光を前記感光材料の感光面へ入射させる入射窓と、
前記入射窓と前記感光材料との間に配置された結像レンズと、
前記入射窓から前記結像レンズへ向かって断面積を減少させるレンズフードと、
前記感光材料に入射する光を遮断し、又は通過させる遮光手段と、
有することを特徴とする表示画面撮影カメラ。
【請求項２】
前記入射窓の周辺に設けられ、前記表示画面の周辺に設けられた表示画面側電源端子に接触して前記表示画面を備える表示装置から電源を供給されるカメラ側電源端子を有することを特徴とする請求項１に記載の表示画面撮影カメラ。
【請求項３】
前記入射窓の周辺に設けられ、前記表示画面の周辺に設けられた表示画面側密着検出手段に接触して前記表示画面に密着したことを検出するカメラ側密着検出手段を有することを特徴とする請求項１又は２に記載の表示画面撮影カメラ。
【請求項４】
前記入射窓の周辺に設けられ、前記表示画面に表示された画像情報識別パターンを読み取るセンサーを有することを特徴とする請求項１乃至３の何れかに記載の表示画面撮影カメラ。
【請求項５】
前記入射窓の周辺に設けられ、前記表示画面の周辺に設けられた表示画面側通信端子に接触して前記表示装置と通信するカメラ側通信端子を有することを特徴とする請求項１乃至４の何れかに記載の表示画面撮影カメラ。
【請求項６】
前記遮光手段を開閉する駆動手段と、
前記カメラ側密着検出手段と前記表示画面側密着検出手段が接触すると前記駆動手段を駆動させ、前記遮光手段を開放させる第１制御手段を有することを特徴する請求項１乃至５の何れかに記載の表示画面撮影カメラ。
【請求項７】
前記第１制御手段は、前記遮光手段を開放させる前に前記表示画面を消灯させ、前記遮光手段を開放した後に前記表示画面を所定時間点灯させ、前記表示画面の画像が感光面へ結像されると前記駆動手段を駆動させ、前記遮光手段を閉じることを特徴とする請求項５、６に記載の表示画面撮影カメラ。
【請求項８】
遮光手段が開放されたことを検出する開放検出手段と、
前記カメラ側密着検出手段と前記表示画面側密着検出手段が接触すると前記表示画面を消灯させ、前記開放検出手段からの検出信号に基づいて前記表示画面を所定時間点灯させる第２制御手段と、
を有することを特徴とする請求項５に記載の表示画面撮影カメラ。
【請求項９】
前記筐体には、前記表示装置が装填され前記表示画面を前記入射窓に対して位置決めする装填部が設けられていることを特徴とする請求項１乃至５の何れかに記載の表示画面撮影カメラ。
【請求項１０】
前記装填部には、前記表示装置が装填されると押圧され、前記表示装置が前記装填部に装填されたことを検出する装填検出スイッチと、
前記遮光手段を開閉する駆動手段と、
前記装填検出スイッチからの検出信号に基づいて前記駆動手段を駆動させ、前記遮光手段を開放させる第３制御手段と、
を有することを特徴とする請求項９に記載の表示画面撮影カメラ。
【発明の詳細な説明】
【０００１】
【発明の属する技術分野】
本発明は、携帯電話やデジタルカメラ等の表示画面に密着して筐体内の感光材料の感光面に表示画面の画像を結像する表示画面撮影カメラに関する。
【０００２】
【従来の技術】
本発明者は、携帯電話やデジタルカメラ等に備えられた表示画面に密着して筐体内に収納する感光材料の感光面に表示画面の画像を結像する表示画面撮影カメラを提案した。
【０００３】
従来から、表示画面を撮影する表示画面撮影カメラは考案されている（例えば、特許文献１参照）。
【０００４】
しかし、従来の表示画面撮影カメラは、近接撮影可能なカメラに不要な外光を取り除くためのレンズフードを取付けた形態で、オシロスコープ等の大きな画面を撮影するためのものだった。このため、携帯電話やデジタルカメラ等の小さな表示画面を撮影する場合、使用しづらく、携帯性も悪いという問題があった。
【０００５】
【特許文献１】
特開平１−３０９４７３号公報
【０００６】
【発明が解決しようとする課題】
上述の事情に鑑み、本発明は、携帯電話やデジタルカメラ等に備えられた小さな表示画面を撮影する操作性、携帯性が優れた表示画面撮影カメラを提供することを目的とするものである。
【０００７】
【課題を解決するための手段】
請求項１に記載の表示画面撮影カメラは、感光材料を収納する筐体と、前記筐体に形成され、表示画面に密着して前記表示画面を透過した光を前記感光材料の感光面へ入射させる入射窓と、前記入射窓と前記感光材料との間に配置された結像レンズと、前記入射窓から前記結像レンズへ向かって断面積を減少させるレンズフードと、前記感光材料に入射する光を遮断し、又は通過させる遮光手段と、を有することを特徴とする。
【０００８】
請求項１に記載の表示画面撮影カメラでは、筐体に形成された入射窓が表示画面に密着して、表示画面を透過した光が、筐体に収納された感光材料の感光面に入射する。そして、入射窓と感光材料との間には、結像レンズ、遮光手段が配置されており、表示画面を透過した光が結像レンズで集光され、また、遮光手段によって、結像レンズを透過した光が感光面に結像される。
【０００９】
ここで、レンズフードを入射窓から結像レンズに向かって断面積を減少させるようにしたことで、レンズフードと筐体の内壁の間に収納スペースが生まれるので、電池や基板等を配置できる。また、レンズフードがむき出しになっておらず、筐体内に収納されているため、表示画面撮影カメラを箱型に構成でき、持ち運びも容易になる。
【００１０】
また、レンズフードの開口面（入射窓）は筐体の一部なので、表示画面の周辺に密着させることができる。このため、例えばレンズフードの開口面の周辺（筐体）に電源端子を設け、表示画面の周辺に設けられた電源端子と接続して携帯電話等から表示画面撮影カメラに電源を供給することも可能である。
【００１１】
請求項２に記載の表示画面撮影カメラは、請求項１に記載の表示画面撮影カメラであって、前記入射窓の周辺に設けられ、前記表示画面の周辺に設けられた表示画面側電源端子に接触して前記表示画面を備える表示装置から電源を供給されるカメラ側電源端子を有することを特徴とする。
【００１２】
請求項２に記載の表示画面撮影カメラでは、入射窓の周辺にカメラ側電源端子が設けられており、このカメラ側電源端子が、表示画面の周辺に設けられた表示画面側電源端子に接触して表示画面を備える表示装置から電源を供給される。これによって、表示画面撮影カメラに電源を装備せずに表示画面撮影カメラを小型化することが可能となる。
【００１３】
請求項３に記載の表示画面撮影カメラは、請求項１又は２に記載の表示画面撮影カメラであって、前記入射窓の周辺に設けられ、前記表示画面の周辺に設けられた表示画面側密着検出手段に接触して前記表示画面に密着したことを検出するカメラ側密着検出手段を有することを特徴とする。
【００１４】
請求項３に記載の表示画面撮影カメラでは、入射窓の周辺にカメラ側密着検出手段が設けられており、このカメラ側密着検出手段が、表示画面の周辺に設けられた表示画面側密着検出手段に接触して、入射窓が表示画面に密着したことが検出される。これによって、入射窓が表示画面に密着していない状態で表示画面を撮影してしまうことを防止できる。
【００１５】
請求項４に記載の表示画面撮影カメラは、請求項１乃至３の何れかに記載の表示画面撮影カメラであって、前記入射窓の周辺に設けられ、前記表示画面に表示された画像情報識別パターンを読み取るセンサーを有することを特徴とする。
【００１６】
請求項４に記載の表示画面撮影カメラでは、入射窓の周辺にセンサーが設けられ、このセンサーが、表示画面に表示された画像情報識別パターン（表示画面の光量、色合い等の情報をパターン化したもの）を読み取る。これによって、表示画面撮影カメラに、表示画面の光量や色合いを検出する機能を備える必要がなくなるので、表示画面撮影カメラを簡素化できる。
【００１７】
請求項５に記載の表示画面撮影カメラは、請求項１乃至４の何れかに記載の表示画面撮影カメラであって、前記入射窓の周辺に設けられ、前記表示画面の周辺に設けられた表示画面側通信端子に接触して前記表示装置と通信するカメラ側通信端子を有することを特徴とする。
【００１８】
請求項５に記載の表示画面撮影カメラでは、入射窓の周辺に設けられたカメラ側通信端子が、表示画面の周辺に設けられた表示画面側通信端子に接触して表示装置と通信する。これによって、表示画面撮影カメラから表示装置へ表示画面のオン・オフ等の指令を出すことができる。
【００１９】
請求項６に記載の表示画面撮影カメラは、請求項１乃至５の何れかに記載の表示画面撮影カメラであって、前記遮光手段を開閉する駆動手段と、前記カメラ側密着検出手段と前記表示画面側密着検出手段が接触すると前記駆動手段を駆動させ、前記遮光手段を開放させる第１制御手段を有することを特徴する。
【００２０】
請求項６に記載の表示画面撮影カメラでは、カメラ側密着検出手段と表示画面側密着検出手段とが接触すると、第１制御手段が駆動手段を駆動させ、遮光手段を開放させる。このため、表示画面撮影カメラを表示装置に密着させるだけで自動的に表示画面が撮影される。
【００２１】
請求項７に記載の表示画面撮影カメラは、請求項５、６に記載の表示画面撮影カメラであって、前記第１制御手段は、前記遮光手段を開放させる前に前記表示画面を消灯させ、前記遮光手段を開放した後に前記表示画面を所定時間点灯させ、前記表示画面の画像が感光面へ結像されると前記駆動手段を駆動させ、前記遮光手段を閉じることを特徴とする。
【００２２】
請求項７に記載の表示画面撮影カメラでは、第１制御手段は、遮光手段を開放させる前に表示画面を消灯させ、遮光手段を開放した後に表示画面を所定時間点灯させる。これによって、表示画面の画像が感光面へ結像される。そして、第１制御手段は、駆動手段を駆動させて遮光手段を閉じ、感光面を遮光する。
【００２３】
ここで、入射窓が表示画面に密着している時、入射窓の中へ挿し込む光は表示画面から発せられる光のみである。このため、表示画面の点灯を制御することで、シャッタの開放速度を制御する場合と同様の効果を得ることができる。即ち、表示画面撮影カメラの遮光手段は、単に感光面を遮光し、又は光を入射させるだけでよく、開放速度を制御する必要がない。従って、表示画面撮影カメラの遮光手段を簡素化でき、コストを低減できる。
【００２４】
請求項８に記載の表示画面撮影カメラは、請求項５に記載の表示画面撮影カメラであって、遮光手段が開放されたことを検出する開放検出手段と、前記カメラ側密着検出手段と前記表示画面側密着検出手段が接触すると前記表示画面を消灯させ、前記開放検出手段からの検出信号に基づいて前記表示画面を所定時間点灯させる第２制御手段と、を有することを特徴とする。
【００２５】
請求項８に記載の表示画面撮影カメラでは、カメラ側密着検出手段と表示画面側密着検出手段とが接触すると第２制御手段によって表示画面が消灯される。そして、手動等の方法によって遮光手段が開放されると、開放検出手段から第２制御手段へ検出信号が送られる。第２制御手段は、この検出信号に基づいて表示画面を所定時間点灯させる。これによって、表示画面の画像が適性な明るさで感光面に結像される。
【００２６】
このように、遮光手段の開放速度を制御するのではなく、遮光手段を開放して表示画面の点灯を制御するようにしたので、表示画面撮影カメラの遮光手段を単に開閉するだけの単純なものにすることができ、表示画面撮影カメラのコストを低減できる。
【００２７】
請求項９に記載の表示画面撮影カメラは、請求項１乃至５の何れかに記載の表示画面撮影カメラであって、前記筐体には、前記表示装置が装填され前記表示画面を前記入射窓に対して位置決めする装填部が設けられていることを特徴とする。
【００２８】
請求項９に記載の表示画面撮影カメラでは、表示装置が装填部に装填され、表示画面が入射窓に対して位置決めされる。このため、表示画面が入射窓に対して位置がずれた状態で表示画面の画像を撮影してしまうことがない。
【００２９】
請求項１０に記載の表示画面撮影カメラは、請求項９に記載の表示画面撮影カメラであって、前記装填部には、前記表示装置が装填されると押圧され、前記表示装置が前記装填部に装填されたことを検出する装填検出スイッチと、前記遮光手段を開閉する駆動手段と、前記装填検出スイッチからの検出信号に基づいて前記駆動手段を駆動させ、前記遮光手段を開放させる第３制御手段と、を有することを特徴とする。
【００３０】
請求項１０に記載の表示画面撮影カメラでは、表示装置が装填部に装填されると、装填検出スイッチが押圧され、第３制御手段が装填検出スイッチからの検出信号に基づいて駆動手段を駆動させ、遮光手段を開放させる。このため、表示装置を装填部に装填すると自動的に表示画面の画像が撮影される。
【００３１】
【発明の実施の形態】
以下に図面を参照しながら本発明の第１の実施形態に係る液晶画面撮影カメラ１０について説明する。
【００３２】
図１、図２に示すように、液晶画面撮影カメラ（以下、カメラと言う）１０は、携帯電話１２の液晶画面１４に密着して、液晶画面１４の液晶画像を箱型のカメラ筐体１６に収納された感光フィルムＦに結像する。
【００３３】
図３に示すように、液晶画面１４の背面には、バックライト１８が備えられており、液晶画面１４の画像は、バックライト１８から発行されて液晶画面１４を透過した光によって視認できるようになっている。
【００３４】
カメラ筐体１６には、感光フィルムＦを複数枚重ねて収納したフィルムケース１９が、感光フィルムＦの感光面が液晶画面１４に面するように収納されている。カメラ筐体１６には感光フィルムＦの感光面に光を入射させる開口部（入射窓）１６Ａが形成され、開口部１６Ａの周辺は、液晶画面１４の周辺に密着する密着面１６Ｂとされている。
【００３５】
また、カメラ筐体１６には、開口部１６Ａから筐体内に向かって断面積を減少させるレンズフード１６Ｃが形成され、レンズフード１６Ｃの縮径部には、結像レンズ２０が設けられている。これによって、液晶画面１４を透過した光が、結像レンズ２０に入射する。
【００３６】
なお、結像レンズ２０の画角をレンズフード１６Ｃによって制限するようにしても良い。また、レンズフード１６Ｃには、内面反射を防止するための表面処理を施すようにすると効果的である。
【００３７】
そして、結像レンズ２０と感光フィルムＦとの間には、シャッタ２２が配置されている。シャッタ２２は、結像レンズ２０に入射する光を通過させて液晶画面１４の画像を感光フィルムＦの感光面に結像させ、又は結像レンズ２０に入射する光を遮断して感光フィルムＦの感光を防止している。なお、シャッタ２２は、結像レンズ２０と開口部１６Ａとの間に配置しても良い。
【００３８】
そして、図４に示すように、フィルムケース１９に形成された感光フィルム排出口１９Ａとカメラ筐体１６に形成された感光フィルム排出口１６Ｄとの間には、排出ローラ２４が配設され、液晶画面１４の画像が結像された感光フィルムＦは、排出ローラ２４によってカメラ筐体１６から排出される。
【００３９】
上述したように、カメラ筐体１６の開口部１６Ａから筐体内へ向かってレンズフード１６Ｃが延出するようにしたことで、カメラ筐体１６を箱型に構成することが可能となった。これによって、カメラ筐体１６を携帯電話１２の液晶画面１４に容易に密着させることができ、持ち運びもし易い。
【００４０】
また、開口部１６Ａの周辺を液晶画面１４の周辺に密着する密着面１６Ｂとすることができる。これによって、密着面１６Ｂに端子を設けて液晶画面１４の周辺に設けられた端子と接続すること等が可能となる。
【００４１】
そこで、図１、図５に示すように、液晶画面１４に表示された情報識別パターン（液晶画面１４の画像の明るさ、色合い等をパターン化したもの）としてのバーコード１４Ａを読み取るセンサー２６、液晶画面１４の周辺に設けられた電源端子２８と接続される電源端子３０、及び液晶画面１４の周辺に設けられた密着検出用突部３２と接触する密着検出端子３４を密着面１６Ｂに設けている。
【００４２】
密着面１６Ｂが液晶画面１４の周辺に密着すると、センサー２６がバーコード１４Ａを読み取り、液晶画面１４の画像情報がカメラ１０の制御部（図示せず）に伝達される。
【００４３】
また、電源端子２８と電源端子３０とが接続され、携帯電話１２からカメラ１０に電源が供給され、充電池４２が充電される。そして、密着検出用突部３２と密着検出端子３４が接触すると、密着面１６Ｂが液晶画面１４の周辺に密着したことが検出され、制御部が検出信号に基づいて表示部４４の表示を点滅させる。
【００４４】
また、カメラ筐体１６の開口部１６Ａから筐体内へ向かってレンズフード１６Ｃが延出するようにしたことで、図４に示すように、レンズフード１６Ｃの周辺に収納スペースが生まれる。そこで、この収納スペースに基板３６、３８、プリントボタン４０、及び充電池４２を配設している。
【００４５】
次に、第２の実施形態に係る液晶画面撮影カメラ（以下、カメラと言う）５０について説明する。なお、第１の実施形態と同様の構成には同一の符号を付している。
【００４６】
図６に示すように、カメラ５０には、遮光板５２が、結像レンズ２０の前面側に開口部１６Ａに面して設けられ、開口部１６Ａに沿って円出するレール（図示省略）によって両端部をスライド可能に支持されている。遮光手段５２にはラック５２Ａが形成され、ラック５２Ａにギア５４Ａを噛み合わせているモータ５４が設けられている。このモータ５４が制御部５６（図７参照）によって駆動されて遮光板５２は開閉される。なお、遮光板５２は、結像レンズ２０と感光フィルムＦとの間に配置しても良い。
【００４７】
また、遮光板５２の移動方向の開放側の端部には、開放された遮光板５２によって押圧される遮光板検出スイッチ５８が設けられている。この遮光板検出スイッチ５８は制御部５６に接続されており、遮光板５２が開放されたことを検出して制御部５６へ検出信号を送信する。
【００４８】
また、開口部１６Ａの下部には、通信端子６０が設けられており、液晶画面１４の下部に設けられた通信端子６２に接触してカメラ５０と携帯電話５１との間で双方向の通信を行う。
【００４９】
ここで、図８のフローチャートを参照してカメラ５０による撮影方法について説明する。
【００５０】
カメラ５０の電源が投入されると本フローが開始され、ステップ１０１に進む。ステップ１０１では、カメラ５０の開口部１６Ａが携帯電話５１の液晶画面１４に密着されるまで、即ち密着検出用突部３２が密着検出用端子３４に接触するまで否定判定が繰り返される。そして、肯定されるとステップ１０２に進む。
【００５１】
ステップ１０２では、制御部５６が通信端子６０、６２を介して携帯電話５１に備えられた液晶画面制御部６４（図７参照）に指令を出し、液晶画面１４を消灯させる。そして、ステップ１０３に進む。
【００５２】
ステップ１０３では、制御部５６が、モータ５４を駆動させて遮光板５２を開放させる。そして、ステップ１０４に進み、遮光板５２が開放され、遮光板検出スイッチ５８が押圧されるまで否定判定が繰り返され、肯定されるとステップ１０５に進む。
【００５３】
ステップ１０５では、制御部５６が、遮光板検出スイッチ５８からの検出信号に基づいて通信端子６０、６２を介して液晶画面制御部６４に指令を出し、液晶画面１４を適正な明るさで適当な時間だけ点灯させる。これによって、感光フィルムＦの感光面に液晶画面１４の画像が適当な明るさで結像される。
【００５４】
そして、ステップ１０６に進み、制御部５６は、モータ５４を駆動させ、遮光板５２を閉じらせ、ステップ１０７に進む。ステップ１０７では、遮光板検出スイッチ５８がオフになり、遮光板５２が閉じたことが検出されると、制御部５６が排出ローラ駆動部６６（図７参照）を駆動させてプリント済みの感光フィルムＦをカメラ５０から排出すると共に、液晶画面制御部６４に指令を出し、液晶画面１４を通常の表示に切換える。これによって、本フローを終了する。
【００５５】
このように、カメラ５０の開口部１６Ａを液晶画面１４に密着させた状態で、液晶画面１４を適正な明るさで適当な時間だけ点灯させるようにしたので、遮光板５２の開放速度を制御する必要がない。即ち、カメラ５０には通常のシャッタ機能を備える必要がなく、カメラ５０のコストを低減できる。
【００５６】
次に、第３の実施形態に係る液晶画面撮影カメラ（以下、カメラと言う。）７０ついて説明する。なお、第１、第２の実施形態と同様の構成については同一の符号を付している。
【００５７】
図９、図１０に示すように、カメラ７０の遮光板７２にはレバー７２Ａが設けられている。このレバー７２Ａがカメラ筐体７４の外側へ突出し、遮光板７２は手動で開閉できるようになっている。また、遮光板７２は板バネ７６によって閉じる方向へ付勢されており、レバー７２Ａから手を離すと独りでに閉じるようになっている。なお、板バネ７６に替えて、圧縮コイルバネ等の他の付勢手段も適用可能である。
【００５８】
ここで、カメラ７０による撮影方法について図１１のフローチャートを参照して説明する。
【００５９】
カメラ７０の電源が投入されると、本フローが開始され、ステップ２０１に進む。ステップ２０１では、カメラ７０の開口部１６Ａが携帯電話７１の液晶画面１４に密着されるまで、即ち密着検出用突部３２が密着検出用端子３４に接触するまで否定判定が繰り返される。そして、肯定されるとステップ２０２に進む。
【００６０】
ステップ２０２では、制御部７６が通信端子６０、６２を介して携帯電話７１に備えられた液晶画面制御部７８（図１２参照）に指令を出し、液晶画面１４を消灯させる。そして、ステップ２０３に進む。
【００６１】
ステップ２０３では、遮光板７２が開放され、遮光板検出スイッチ５８が押圧されるまで否定判定が繰り返され、肯定されるとステップ２０４に進む。ステップ２０４では、制御部７６が液晶画面制御部７８に指令を出して液晶画面１４を適正な明るさで適当な時間だけ点灯させる。これによって、液晶画面１４の画像が適当な明るさで感光フィルムＦの感光面に結像される。
【００６２】
そして、ステップ２０５に進み、制御部７６が排出ローラ駆動部６６（図１２参照）を駆動させてプリント済みの感光フィルムＦをカメラ７０から排出する。
【００６３】
ステップ２０６に進み、密着検出用突部３２が密着検出用端子３４から離れるまで否定判定が繰り返され、肯定されるとステップ２０７に進む。ステップ２０８では、制御部７６が液晶画面制御部７８に指令を出し、液晶画面１４を通常の表示に切換える。
【００６４】
なお、カメラ７０にはスピーカー７９が設けられており、遮光板７２の開閉の指示やプリント終了等のプリント動作の案内がユーザーに知らされる。
【００６５】
次に、第４の実施形態に係る液晶画面撮影カメラ（以下、カメラと言う。）８０について説明する。なお、第１乃至第３の実施形態と同様の構成については同一の符号を付している。
【００６６】
図１３、図１４に示すように、カメラ８０には、携帯電話８１の液晶画面１４側の筐体８２が装填される装填部８４が設けられている。この装填部８４は筐体８２に嵌合して液晶画面１４を開口部１６Ａに対して位置決めする。
【００６７】
また、装填部８４の最深部には装填検出スイッチ８６が設けられている。この装填検出スイッチ８６は、筐体８２が装填部８４の最深部まで挿入されると押圧され、制御部８８へ検出信号を送信する。制御部８８は、この検出信号に基づいてシャッタ２２を開放させ、液晶画面１４の画像を感光フィルムＦの感光面に結像させる。
【００６８】
次に、第５の実施形態に係る液晶画面撮影カメラ（以下、カメラと言う。）９０について説明する。なお、第１乃至第４の実施形態と同様の構成について説明する。
【００６９】
図１５に示すように、カメラ９０の開口部１６Ａの周辺には遮光、及び滑り止めのためのゴム枠９２が取り付けられている。また、カメラ９０の側面９０Ａにはゴムバンド９４が取り付けられ、側面９０Ａの反対側の側面９０Ｂにはマジックテープ（Ｒ）９６Ａが取り付けられている。そして、ゴムバンド９４の片面にもマジックテープ（Ｒ）９６Ｂが取り付けられている。また、開口部１６Ａの周辺には、センター指標９７が記されている。
【００７０】
これによって、図１６に示すように、ゴムバンド９４によって携帯電話９１をカメラ９０に固定でき、液晶画面（図示省略）を開口部１６Ａに対して正確に位置決めできる。
【００７１】
なお、第１乃至第５の実施形態では、携帯電話の液晶画面に密着して液晶画面の画像を撮影する液晶画面撮影カメラを例に取って説明したが、デジタルカメラの液晶画面を撮影する液晶画面撮影カメラにも適用可能である。また、「表示画面」は、液晶画面に限らず、ＥＬ（Ｅｌｅｃｔｒｏ  Ｌｕｍｉｎｅｓｃｅｎｃｅ）表示画面等の他の表示画面も適用可能である。
【００７２】
また、結像レンズからレンズフードが延出したカメラを例に取って説明したが、第２乃至第５の実施形態については、図１７に示すように、感光フィルムＦの感光面を液晶画面１４に近接させ、液晶画面１４を透過した直進光を感光フィルムＦの感光面に入射させて液晶画面１４の画像を撮影する液晶画面撮影カメラ９９にも適用可能である。
【００７３】
【発明の効果】
本発明は上記構成としたので、携帯電話やデジタルカメラ等に備えられた小さな表示画面を撮影する操作性、携帯性が優れた表示画面撮影カメラを提供できる。
【図面の簡単な説明】
【図１】第１の実施形態に係る液晶画面撮影カメラと液晶画面撮影カメラによって撮影される液晶画面を備える携帯電話を示す斜視図である。
【図２】第１の実施形態に係る液晶画面撮影カメラと液晶画面撮影カメラによって撮影される液晶画面を備える携帯電話を示す斜視図である。
【図３】第１の実施形態に係る液晶画面撮影カメラと液晶画面撮影カメラによって撮影される液晶画面を備える携帯電話を示す断面図である。
【図４】第１の実施形態に係る液晶画面撮影カメラを示す断面図である。
【図５】第１の実施形態に係る液晶画面撮影カメラを示す斜視図である。
【図６】第２の実施形態に係る液晶画面撮影カメラと液晶画面撮影カメラによって撮影される液晶画面を備える携帯電話を示す断面図である。
【図７】第２の実施形態に係る液晶画面撮影カメラと液晶画面撮影カメラによって撮影される液晶画面を備える携帯電話の概略を示す図である。
【図８】第２の実施形態に係る液晶画面撮影カメラの撮影方法を示すフローチャートである。
【図９】第３の実施形態に係る液晶画面撮影カメラと液晶画面撮影カメラによって撮影される液晶画面を備える携帯電話を示す斜視図である。
【図１０】第３の実施形態に係る液晶画面撮影カメラと液晶画面撮影カメラによって撮影される液晶画面を備える携帯電話を示す断面図である。
【図１１】第３の実施形態に係る液晶画面撮影カメラの撮影方法を示すフローチャートである。
【図１２】第３の実施形態に係る液晶画面撮影カメラと液晶画面撮影カメラによって撮影される液晶画面を備える携帯電話の概略を示す図である。
【図１３】第４の実施形態に係る液晶画面撮影カメラと液晶画面撮影カメラによって撮影される液晶画面を備える携帯電話を示す斜視図である。
【図１４】第４の実施形態に係る液晶画面撮影カメラと液晶画面撮影カメラによって撮影される液晶画面を備える携帯電話を示す断面図である。
【図１５】第５の実施形態に係る液晶画面撮影カメラと液晶画面撮影カメラによって撮影される液晶画面を備える携帯電話を示す斜視図である。
【図１６】第５の実施形態に係る液晶画面撮影カメラと液晶画面撮影カメラによって撮影される液晶画面を備える携帯電話を示す斜視図である。
【図１７】液晶画面撮影カメラと液晶画面撮影カメラによって撮影される液晶画面を備える携帯電話を示す断面図である。
【符号の説明】
１０    液晶画面撮影カメラ（表示画面撮影カメラ）
１２    携帯電話（表示装置）
１４    液晶画面（表示画面）
１４Ａ  バーコード（情報識別パターン）
１６    カメラ筐体（筐体）
１６Ａ  開口部（入射窓）
１６Ｃ  レンズフード
２０    結像レンズ
２２    シャッタ（遮光手段）
２６    センサー
２８    電源端子
３０    電源端子
３２    密着検出用突部（密着検出手段）
３４    密着検出端子（密着検出手段）
５０    液晶画面撮影カメラ（表示画面撮影カメラ）
５１    携帯電話（表示装置）
５２    遮光板（遮光手段）
５４    モータ（駆動手段）
５６    制御部（第１制御手段）
５８    遮光板検出スイッチ（開放検出手段）
６０    通信端子（カメラ側通信端子）
６２    通信端子（表示画面側通信端子）
７０    液晶画面撮影カメラ（表示画面撮影カメラ）
７１    携帯電話（表示装置）
７２    遮光板（遮光手段）
７６    制御部（第２制御手段）
８０    液晶画面撮影カメラ（表示画面撮影カメラ）
８１    携帯電話（表示装置）
８２    装填部
８６    装填検出スイッチ
８８    制御部（第３制御手段）
９０    液晶画面撮影カメラ（表示画面撮影カメラ）
９１    携帯電話（表示装置）
９９    液晶画面撮影カメラ（表示画面撮影カメラ）
Ｆ      感光フィルム
【図１】
2004294707.tif 000003
【図２】
2004294707.tif 000004
【図３】
2004294707.tif 000005
【図４】
2004294707.tif 000006
【図５】
2004294707.tif 000007
【図６】
2004294707.tif 000008
【図７】
2004294707.tif 000009
【図８】
2004294707.tif 000010
【図９】
2004294707.tif 000011
【図１０】
2004294707.tif 000012
【図１１】
2004294707.tif 000013
【図１２】
2004294707.tif 000014
【図１３】
2004294707.tif 000015
【図１４】
2004294707.tif 000016
【図１５】
2004294707.tif 000017
【図１６】
2004294707.tif 000018
【図１７】
2004294707.tif 000019